(57)【要約】      （修正有）【課題】自由な長さの均一で継目の無い光を発し、間接照明でありながら直接照明であるかのような照明装置を提供する。【解決手段】照明装置１は筐体２の両側に設けられた防眩の機能を有する溝部分にＬＥＤ粒子８を等間隔に配置した発光体モジュール７を組合わせた発光体部品を挿入した筐体２を連結させ自由な長さの継目の無い光電を中央反射板４に照射させ、光源が反射板４であるかのように、間接照明でありながら直接照明として形成される。【選択図】図３
2014056804.tif 000002
【特許請求の範囲】
【請求項１】
照明装置であって
３種類の発光体モジュールを組合せてＬのｎ倍の自由な長さの発光体で形成されており、
１台の照明装置として自由な長さを形成することができることを特徴とする照明装置。
【請求項２】
照明装置であって
ＬＥＤ粒子を等間隔に配列した３種類の発光体モジュールを組合せてＬのｎ倍の自由な長さに連結されており、両側発光体から中央反射板に向け光を放出する反射面と
を備え、
中央反射面が継目なく均一に光るよう形成されることを特徴とする照明装置。
【請求項３】
照明装置であって、
両側から中央反射板に照射させ、防眩部材により光源が見えないようにされており、
ＬＥＤ粒子から発する光を反射板の反射面に間接的に光っているにも係わらず反射面が直接光を発しているよう直接照明に見えることを特徴とする照明装置。
【発明の詳細な説明】
【技術分野】
【０００１】  本発明は、照明装置に関する。
【背景技術】
【０００２】  近年、電力消費を抑制することが可能な照明装置、たとえばＬＥＤ（発光ダイオード：Ｌｉｇｈｔ  Ｅｍｉｔｔｉｎｇ  Ｄｉｏｄｅ）等を用いた照明装置が増加している。【０００３】  また、ＬＥＤを用いた照明装置においては、ＬＥＤという点光源から高輝度の直接光がそのまま眼に入ることを避けるため、当該ＬＥＤからの光を半透光性カバーを通過させて被照明体に照射することが行われている（例えば、特許文献１参照）。反透光性カバーを通過する時点で当該ＬＥＤからの光が拡散されるため、均一された光が反透光性カバーの表面（ひょうめん）から放出される。
【先行技術文献】
【特許文献】
【０００４】
【特許文献１】特開２０１１−２０４６９９号公報
【発明の概要】
【発明が解決しようとする課題】
【０００５】  ところで、本件発明は、上記のような照明装置と異なり、発光体（ＬＥＤ等）からの光を反射する反射面を備え、当該反射面による反射光を被照明体（下方の人物等）に向けて放出する新規な照明装置を案出した。これによっても、点光源から発せられる高輝度の直接光がそのまま眼に入ることを避けることができる。【０００６】  また、従来の反透光性カバーを通過するＬＥＤ照明管はソケットによる固定方法で取付けられる。器具を連続配置した場合、光のラインの長さは器具本体の長さ（１，２００ｍｍ程度）の倍数となり、光の長さの自由度が妨げられ、また、ＬＥＤ照明管の接続ソケットの部分は光を発しないため、光のラインに継目が生じ美しさを損ねていることが判明した。【０００７】そこで、この発明は、ＬＥＤ粒子を等間隔に配列した長さＬ（１４０ｍｍ程度）・２Ｌ（２８０ｍｍ程度）・３Ｌ（４２０ｍｍ程度）の３種類のモジュールの発光体で構成し、発光体モジュールを半透光性カバーに装着することなく器具本体の両端の溝に光源が下方の人の目に入らないように挿入し、Ｌの倍数の自由な長さの継目の無い連続する光のラインで、部屋の隅々まで照射できる照明装置を提供することを課題とする。
【課題を解決するための手段】
【０００８】  課題を解決すべく、請求項１の発明は、ＬＥＤ発光体図８〜図１０のＬ（１４０ｍｍ程度）、２Ｌ（２８０ｍｍ程度）、３Ｌ（４２０ｍｍ程度）を基本モジュールで、Ｌ，２Ｌ，３Ｌ，４Ｌ（Ｌ＋３Ｌ），５（２Ｌ＋３Ｌ），・・・・，ｎＬの自由な長さの連続したＬＥＤ発光体を設置することを特徴とする。【０００９】  課題を解決すべく、請求項２の発明は、ＬＥＤ発光体図１１のＬ（１４０ｍｍ程度）、２Ｌ（２８０ｍｍ程度）、３Ｌ（４２０ｍｍ程度）の発光体（ＬＥＤ等）を組合せて配列した発光体モジュールを器具の両側に平行に挿入し、ＬＥＤ発光体モジュールからの光を反射する反射面を備え、当該反射面による反射光を被照明体（下方の人物等）に向けて放出する新規な方法で、光のライン全体が等間隔に配列したＬＥＤ粒子によって、光の継目の無い美しい光のラインを提供することを特徴とする。【００１０】  課題を解決すべく、請求項３の発明は、ＬＥＤ発光体図１３〜図１４の発行体モジュールを本体両側に有する溝部分に、光源であるＬＥＤ粒子が下方の人の目に入らないような状態で挿入し、中央部に設置した反射板に照射させ、間接照明でありながら反射板が発光している直接照明のように見える構造とすることを特徴とする。
【発明の効果】
【００１１】請求項１ないし請求項３に記載の発明によれば、室内の隅々まで均一な照度を確保し、間接照明でありながら直接照明に見える、継目の無い美しい光を作り出す照明装置を提供することが可能である。
【図面の簡単な説明】
【００１２】
【図１】  本発明の実施形態に係る照明装置を示す外観図である。
【図２】  照明装置の平面図（設置状態の照明装置を下方から見た図）である。
【図３】  照明装置の断面図である。
【図４】  器具筐体を下方から見た平面図である。
【図５】  組み立てられた発光体モジュールの正面図である。
【図６】  反射板を下方から見た平面図である。
【図７】  発光体から出射された光が反射板にて反射等される様子を示す図である。
【図８】  基本単位の長さとなる発光体の正面図である。
【図９】  基本単位の２倍の長さとなる発光体の正面図である。
【図１０】  基本単位の３倍の長さとなる発光体の正面図である。
【図１１】  ＬＥＤ粒子の間隔が等しくなるように連結した発光体の正面図である。
【図１２】  照明装置を天井に設置している状況を示す断面図
【図１３】  発光体モジュールを設置している手順状況を示す断面図
【図１４】  反射板を設置している手順状況を示す断面図
【図１５】  照明装置を連結させた設置状態置平面図（設置状態の照明装置を下方から見た図）である。
【図１６】  連結させた照明装置の点灯状態（光の継ぎ目無し）を示す平面図（設置状態の照明装置を下方から見た図）である。
【発明を実施するための形態】
【００１３】  以下、本発明の実態形態を図面に基づいて説明する。
【００１４】    ＜１．第１実施形態＞
図１は本発明の第１実施形態に係る照明装置１（１Ａとも称する）を示す外観図である。図１においては、当該照明装置１Ａ天井面に設置された状況が示されている。また、図２は下方より見た照明装置１Ａの平面図、図３は照明装置１Ａの断面図である。
【００１５】  この照明装置の居室内への照射は、図４で示す筐体２、図５で示す発光体モジュール組立部材、図６で示す反射板４で構成する。
【００１６】  この照明装置は図７で示すように筐体２の両側の溝に挿入された、発光体モジュール７（Ｌ・２Ｌ・３Ｌ）を組合せて取り付けた、発光体モジュール取付板６、発光体モジュール取付板固定金具５で組立てられた図５で示す発光体モジュール組立部材から反射板４の反射面で反射および拡散され、照明装置１Ａの下方側の開口部１３から外部の被照明体（下方の家具あるいは人物等）に向けて放出（照射）される。これにより、居室内下方の被照射体が照明される。端的に言えば、反射面４はあたかも面状発光体のように見える。そのため、反射面４は面状の光放射体（あるいは光放出面）などとも表現される。
【００１７】  このように照明方式は、反射面４を利用した「間接照明」であるが、照明装置１内の反射面４が「光放出面」として作用するため、「直接照明」に近い照明方式である。
【００１８】  上述の状態で筐体２の溝の内側の面が妨眩部材（妨眩用遮蔽部材とも称する）の役目を果たし、ＬＥＤ粒子８から直接照射されることを防ぎ、被照明側人物の目にそのまま入射することを防ぐ部材であるとともに化粧カバーとして表現される。なお、筐体２の溝の内側の面は、直接光を（ほぼ完全に）遮蔽する遮蔽部材として形成されてもよく、あるいは、直接光を半透過する半透明の材料（拡散材料等）で構成されるようにしてもよい。
【００１９】  この照明装置の設置方法は、図１２で示すように照明装置１Ａの筐体２と天井材１２の上方に配置された軽量鉄骨部材１１との間に天井材１２を挟んでネジ止め等されることによって、住宅あるいはオフィス等の居室内の天井に固定される。
【００２１】  次に、図１３で示すように筐体２の両側にある溝に、発光体モジュール７（Ｌ・２Ｌ・３Ｌ）を組合せて取り付けた、発光体モジュール取付板６、発光体モジュール取付板固定金具５で組立てられた図５で示す発光体モジュール組立部材を図１３で示すような手順で挿入する。
【００２２】  電源配線を施した後、図１４で示す手順のように図６で示す反射板４を図５で示す発光体モジュール組立部材へ引っ掛ける方法により装着する。
【００２３】  また、図２で示すように照明装置１Ａを単体で設置する場合は筐体（エンドパネル）３を両端に、連結して設置する場合は図１５、図１６で示すように連結した照明装置の両端に設置する。
【００２４】  図１５は連結した照明装置１Ａを下方より見た状態を示す。
【００２５】  図１６は連結した照明装置１Ａを点灯させて下方より見た状態を示す。
【００２５】  図８〜図１０で示す発光体モジュール７（Ｌ・２Ｌ・３Ｌ）を連結させたとき、連結部分の端のＬＥＤ粒子８と次の発光体モジュール７（Ｌ・２Ｌ・３Ｌ）の端のＬＥＤ粒子８との距離が図１１で示すよう、発光体モジュール７（Ｌ・２Ｌ・３Ｌ）のＬＥＤ粒子８の間隔と同じ距離になるよう発光体モジュール７（Ｌ・２Ｌ・３Ｌ）のＬＥＤ粒子８を配置している。
【００２６】  上述のように当該ＬＥＤからの光を半透光性カバーを通過させて被照明体に照射する方法とは図１１のように異なる方法で連結させることにより、連結されている照明装置の反射板４の部分が均一で継目の無い光を発する。
【００２７】  また、上記各実施形態においては、反射面４が開口部１３付近において表出している態様（図３参照）が例示されているが、これに限定されない。たとえば、当該開口部１３に相当する部分に透明カバーを設け、反射板４が当該透過カバーに覆われるようにしてもよい。反射板４を透明カバーで覆い、当該透明カバーで開口部１３を塞ぐことによれば、蚊などの小さな虫が照明装置１Ａの開口部１３から装置内部に入り込むことを防止することも可能である。
【符号の説明】
【００２８】１    照明装置
２    筐体
３    筐体（エンドパネル）
４    反射板
５    発光体モジュール取付板固定金具
６    発光体モジュール取付板
７    発光体モジュール（Ｌ・２Ｌ・３Ｌ）
８    ＬＥＤ粒子
９    電源端子台（＋）
１０  電源端子台（−）
１１  軽量鉄骨部材
１２  天井材
１３  開口部
【図１】
2014056804.tif 000003
【図２】
2014056804.tif 000004
【図３】
2014056804.tif 000005
【図４】
2014056804.tif 000006
【図５】
2014056804.tif 000007
【図６】
2014056804.tif 000008
【図７】
2014056804.tif 000009
【図８】
2014056804.tif 000010
【図９】
2014056804.tif 000011
【図１０】
2014056804.tif 000012
【図１１】
2014056804.tif 000013
【図１２】
2014056804.tif 000014
【図１３】
2014056804.tif 000015
【図１４】
2014056804.tif 000016
【図１５】
2014056804.tif 000017
【図１６】
2014056804.tif 000018